(57)【要約】      （修正有）【課題】モンキーレンチにスパナと同一作用をするナット孔を付加したモンキーレンチを提供する。【解決手段】モンキーレンチ１５の本体１の一端部１ａにナットを挟着するための固定面２ａを有する突出部２を設けると共に、該固定面２ａに対面する可動面３ａを有する可動片３を離接自在に設置する。前記可動片３の基部歯３ｂは、前記一端部の基部へ架設した操作軸４の歯車４ａと噛み合わせてあって、操作軸４を回転することにより、前記可動片３を矢示５、６のように往復移動させることにより、大小のナットを挟着することができる。又、前記本体１の他端部１ｂには、一方向回転リング７付のナット孔８が設けてあり、該ナット孔８に隣接して、孔径の異なるナット孔９を設けてスパナとして使用する。【選択図】図１
0003160989.tif 000002
【実用新案登録請求の範囲】
【請求項１】
一端に、異なる大きさのナット又はボルト頭に嵌装すべく、可動挟着片を設置したモンキーレンチ本体の他端部に、ナットに嵌装する一方向可動リング付のナット孔を設けたことを特徴とするモンキーレンチ。
【請求項２】
一端に、異なる大きさのナット又はボルト頭に嵌装すべく、可動挟着片を設置したモンキーレンチ本体の他端部に、ナットに嵌装する一方向可動リング付のナット孔を設けると共に、前記モンキーレンチ本体の中間部に、蝶ナット回転用の透孔を設けたことを特徴とするモンキーレンチ。
【請求項３】
一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設したことを特徴とするモンキーレンチ。
【請求項４】
一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記モンキーレンチ本体の中間部に、蝶ナット回転用の透孔を設けたことを特徴とするモンキーレンチ。
【請求項５】
一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記可動リングは、外周の円形壁に多数の凹凸歯を設け、該凹凸歯に調製片の円弧歯を噛み合わせ、前記調製片はモンキーレンチ本体内へ一方向回転のみ解除すべく摺動自在に弾持したことを特徴とするモンキーレンチ。
【請求項６】
一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記モンキーレンチの最大開き間隔を３２ｍｍとし、その本体長さを２２０ｍｍとしたことを特徴とするモンキーレンチ。
【考案の詳細な説明】
【技術分野】
【０００１】
この考案は、ボルト頭又はナットの係合孔を別設したモンキーレンチに関する。
【背景技術】
【０００２】
従来、両端に大きさの異なるナットに嵌装し得る嵌装部を設けたスパナは知られているが、モンキーレンチにおいては、挟着片の一方が可動であり、各種径の異なるナット、又はボルト頭に適用できるので、スパナのように二種類のナット（又はボルト頭）に適応できるような透孔を設ける配慮はなされていない（通常必要性がない）。しかしながら、高所作業又は作業時に身体、動作の制約がある場所において、大きさの異なる複数のボルト又はナットを締め付けるために、中途でモンキーレンチ挟着片の距離を短時間で変更することは容易ではなく、作業能率低下の一因にもなっていた。
【先行技術文献】
【特許文献】
【０００３】
【特許文献１】特許第３６１６０１７号
【特許文献２】実用新案登録第３０５８８４７号
【考案の概要】
【考案が解決しようとする課題】
【０００４】
従来、握り柄の両端部に、径の異なるナット（又はボルト頭）に適合する駆動部をつけたスパナが知られていたが、二種類のナットに適用できるだけであったので、スパナを複数種準備することで目的を達していた。また、モンキーレンチは、ナットに嵌装する部分を広狭調節できるので、１本のモンキーレンチを持っていれば複数種のスパナセットと同様の効果があるけれども、通常モンキーレンチは仮締めに用い、スパナを本締めに用いるので、モンキーレンチとスパナを共有することが普通とされていた。
【０００５】
そこで、モンキーレンチとスパナ（嵌合部固定）を両方共に持って作業することが普通であるが、工具が多くなると重いのみならず、工具落下などの事故も生じやすい問題点があった。
【０００６】
また蝶ねじなどを廻す時には、ほぼ手動であるけれども、錆びたり何等かの理由でねじが固着している場合には、手動で廻すことが困難な場合もあったが、かかる場合には他の器具を用いていた。
【課題を解決するための手段】
【０００７】
然るにこの考案は、１本のモンキーレンチにより、モンキーレンチとスパナを兼用すべく、モンキーレンチにナット又はボルトを廻すために嵌装すべき透孔を付設することによって、前記従来の問題点を解決したのである。
【０００８】
モンキーレンチは、固定面と、可動面の二面をナット又はボルト頭の六角部の対応する二面に当接し、回転力を伝えている。従って、５ｍｍ〜３５ｍｍの対面距離のナットを有効に回転させることができるが、実際の使用範囲は１０ｍｍ〜３０ｍｍの対面距離が最も多いと考えられる。そこで、前記寸法範囲のボルト、ナットの回転には、事実上１本のモンキーレンチがあれば、十分目的を達成することができるが、モンキーレンチの特性上緊結するためのボルト（又はナット）の締め付けには不十分な場合もあるので、モンキーレンチは仮締めに使用し、スパナを本締めに使用する場合があった。
【０００９】
しかしながら、現場の性質上、大きさが２〜３種類のボルト又はナットを回転させることが判明している現場では、２本又は３本のスパナを携行して作業する場合も少なくない。即ち、モンキーレンチの場合には、ナットの大きさが変わる毎に寸法調整を必要とするのみならず、モンキーレンチは一般的にスパナより重いから、手軽に使用できるとはいえない場合もある。これに対し、スパナの場合には、各ナット毎に大きさが特定され、必ず確実に嵌りそのまま本締めできるからである。
【００１０】
また、モンキーレンチの場合には、各種大きさのナットに対し、１本のモンキーレンチで間に合うが、スパナの場合には、ナットの大きさが変わる毎にスパナも変えなければならない。また、モンキーレンチの場合には、ナットへ嵌合する度に調節し、良くフィットさせなければならないし、フィットさせてもモンキーレンチのねじのゆるみで多少のガタを生じる可能性があるが、スパナの場合には、必ず正しく嵌合し、ゆるみを生じる余地がないなど、それぞれに特質がある。
【００１１】
次にモンキーレンチの場合には、例えば５ｍｍ〜３５ｍｍ（好ましくは１０ｍｍ〜３０ｍｍ）の間の大きさのナットについて共用できるので、スパナのように複数本を準備する必要がないが、スパナは、ナットのサイズ毎に適合したスパナを必要とするので、複数本のスパナセットを携行することが普通である。
【００１２】
そこで、建築又は土木工具などでは、１つの道具で二種の働きをするように造られたものがあるが、モンキーレンチに限っては、異なるサイズのナットを廻すような配慮が不必要であり、二つ設ける必要性がなかった。
【００１３】
しかしながら、一工事現場で、大きさが二、三種のナットを用いる現場においては、モンキーレンチ１本で仕事するよりも、スパナ二、三本で仕事した方が簡便な場合もあったが、工具にはそのような配慮がなかった。
【００１４】
然るにこの考案は、１本のモンキーレンチにより、モンキーレンチとスパナとを携行したような便利なモンキーレンチを開発したのである。
【００１５】
即ちこの考案は、一端に、異なる大きさのナット又はボルト頭に嵌装すべく、可動挟着片を設置したモンキーレンチ本体の他端部に、ナットに嵌装する一方向可動リング付のナット孔を設けたことを特徴とするモンキーレンチであり、一端に、異なる大きさのナット又はボルト頭に嵌装すべく、可動挟着片を設置したモンキーレンチ本体の他端部に、ナットに嵌装する一方向可動リング付のナット孔を設けると共に、前記モンキーレンチ本体の中間部に、蝶ナット回転用の透孔を設けたことを特徴とするモンキーレンチであり、一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設したことを特徴とするモンキーレンチである。
【００１６】
また他の考案は、一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記モンキーレンチ本体の中間部に、蝶ナット回転用の透孔を設けたことを特徴とするモンキーレンチであり、一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記可動リングは、外周の円形壁に多数の凹凸歯を設け、該凹凸歯に調製片の円弧歯を噛み合わせ、前記調製片はモンキーレンチ本体内へ一方向回転のみすべく摺動自在に弾持したことを特徴とするモンキーレンチであり、一端に、異なる大きさのナット又はボルト頭に嵌装すべく、可動挟着片を設置したモンキーレンチ本体の他端部に、ナットに嵌装する一方向可動リング付のナット孔を設けると共に、前記ナット孔と異なる大きさのナット孔を隣設し、前記モンキーレンチの最大開き間隔を３２ｍｍとし、その本体長さを２２０ｍｍとしたことを特徴とするモンキーレンチである。
【００１７】
通常工具業界においては、３０ｍｍ開口のモンキーレンチは全長２００ｍｍである。また、３６ｍｍ開口のモンキーレンチは全長２５０ｍｍとなっている。そこで全長２５０ｍｍのモンキーレンチを持っていれば、６分ボルト（対辺間隔３２ｍｍ）まで対応できる。然しながら、開口３６ｍｍのモンキーレンチは全長２５０ｍｍで重くなるのみならず、通常の腰袋から大きくはみ出して道具が落下し易くなり、危険性が大きく、かつ不便であった。
【００１８】
即ち、６分ボルトを回転するためには、開口３６ｍｍ、長さ２５０ｍｍのモンキーレンチが必要であり、この長さのモンキーレンチを入れるためには特殊の腰袋を使用しなければ、安全面において不安がある。
【００１９】
そこで、開口３２ｍｍで長さ２２０ｍｍのモンキーレンチを新しく作れば比較的軽くなり、かつ腰袋も普通のものが使用できることになる。
【００２０】
然しながら、従来の慣習上、開口３０ｍｍで全長２００ｍｍと、開口３６ｍｍで全長２５０ｍｍの二種類のモンキーレンチのみ作られていたので、使用者はやむをえずこのモンキーレンチに頼るか、所定寸法のスパナを利用していた。従って、この考案によれば、開口３２ｍｍで全長２２０ｍｍであるから、全長２００ｍｍの従来のモンキーレンチよりもトルクが大きくかかる利点がある。
【考案の効果】
【００２１】
この考案はモンキーレンチの本体の一端に、一方向可動リング付のナット孔を設けたので、大きさが一致すればモンキーレンチの可変装着部を使用することなく、ナットを回転できる効果がある。
【００２２】
また、本体へ蝶ナット挿入用の透孔を設けたので、全体の軽量化を図るとともに、回りにくい蝶ナットでも容易に回転することができる効果がある。
【００２３】
従って、従来モンキーレンチとスパナを両方持参していた作業であっても、１本のモンキーレンチを持参すれば、スパナを併用したと同様の目的を達成できる効果がある（１本のモンキーレンチで仮締めと本締めができる）。
【図面の簡単な説明】
【００２４】
【図１】（ａ）この考案の実施例の平面図、（ｂ）同じく正面図。
【図２】（ａ）同じく図（ａ）中Ａ−Ａ断面図、（ｂ）同じくＢ−Ｂ断面図、（ｃ）同じく回転孔の一部を破切した平面拡大図、（ｄ）同じく図１（ａ）中Ｃ−Ｃ断面図、（ｅ）同じく蝶ねじの挿入状態を示す説明図。
【考案を実施するための形態】
【００２５】
この考案は、モンキーレンチの柄の端部側にナットに嵌装する一方向の可動リング付のナット孔を設け、該ナット孔の内側に所定の間隔をおいて、前記ナット孔よりも小径のナット孔を設ける。
【００２６】
また、柄部の中央部（肉薄部）に両端を半円状にした矩形状の透孔（蝶ナット用）を２つ並列設置したものである。前記透孔は図２（ｅ）のように蝶ナットを挿入して使用する。
【００２７】
前記において、径の異なるナット孔を２つ設けたことにより、両端に異なる径の嵌合部を設けたスパナ１本に相当し、握り部がスパナより長い（モンキーレンチのため）ので回転力付与力が小さくても対応するスパナと同等の締め付け力に付与ができる。
【実施例１】
【００２８】
この考案の実施例を図１、２に基づいて説明する。モンキーレンチ１５の本体１の一端部１ａにナットを挟着するための固定面２ａを有する突出部２を設けると共に、該固定面２ａに対面する可動面３ａを有する可動片３を離接自在に設置する。前記可動片３の基部歯３ｂは、前記一端部の基部へ架設した操作軸４の歯車４ａと噛み合わせてあって、操作軸４を回転することにより、前記可動片３を矢示５、６のように往復移動させることにより、大小のナットを挟着することができる。
【００２９】
前記本体１の他端部１ｂには、一方向回転リング７付のナット孔８が設けてあり、該ナット孔８に隣接して、孔径の異なるナット孔９が設けてある。前記本体１の中央部１ｃは、薄肉に形成し、該薄肉部に両端を円弧状とし、中央部を直線とした蝶ナット孔１０、１０が設けてある。前記蝶ナット孔１０は、蝶ナット１７が嵌挿掛止できて、蝶ナット１７を回転できるようになっている（図２）。
【００３０】
前記本体１は、全長Ｌを２２０ｍｍとしてあり、可動片の最大開き間隔は３２ｍｍにしてあるので、従来の開き間隔３０ｍｍのモンキーレンチよりも大きい回転力を入れ易くなっている。
【００３１】
前記ナット孔８の回転リング７の凹凸歯７ａに、調整片１１の円弧歯１１ａを噛み合わせ、該調整片１１はスプリング１２によって支持されている（図２）。従って、回転リングが矢示１３の方向へ回転する場合には、調整片１１がスプリング１２を押圧して逃げるが、矢示１４の方向へ回転しようとする場合には、調整片１１が固定されるために、回転リング７は一方向のみ回転し往復回転は阻止される。図中１６はスプリングを止めるビス、１８は安全ロープの取り付け孔である（図１）。
【００３２】
前記実施例によれば、大小径のナットを回転できるモンキーレンチに、大小のナット孔をセットしたので、セットしたナット孔については、スパナと同様に正確な寸法でナットに嵌合させ、回転させることができる（本締めができる）。
【００３３】
前記モンキーレンチに異なるサイズのナット孔を設け、ナット孔のサイズ別に数種のモンキーレンチを用意すれば、スパナなしで各種工事を行うことができる。即ち、工事現場毎に、ナット又はボルトの寸法と種類は決まっているので（通常多種多様ではない）、数種類の寸法で間に合うことになる。
【００３４】
この考案においては、ナット孔を２つ設けたが、３つ設けることもできる。工事の種類によっては、一本又は二本のスパナとモンキーレンチを必要とする場合があるが、この考案のモンキーレンチによれば、前記スパナを不用にすることができる。
【符号の説明】
【００３５】
１  本体
２  突出部
３  可動片
４  操作軸
７  回転リング
８、９  ナット孔
１０  蝶ナット孔
１１  調整片
１２  スプリング
１８  安全ロープの取り付け孔
【図１】
0003160989.tif 000003
【図２】
0003160989.tif 000004